(57)【要約】      （修正有）【課題】マスク収納部全体の病原菌や腐敗菌等を長期間に渡って不活化或いは消滅させることが可能となる殺菌・消臭効果を備えたマスクケースを提供する。【解決手段】マスク収納部を少なくとも有したマスクケース本体１に、顆粒状二酸化塩素製剤３が封入された袋体２を、取出し可能に内蔵する構造とする。また袋体２が、一面を合成樹脂製シート面２１で、他面を不織布面２２で形成される。更に合成樹脂製シート面の表面に両面粘着テープ４を貼着して着脱可能に設け、或いはポケット部５に入れて収納させても良い。【選択図】図３
0003229922.tif 000002
【実用新案登録請求の範囲】
【請求項１】
マスク収納部（11）を少なくとも有したマスクケース本体（１）に、顆粒状二酸化塩素製剤（３）が封入された袋体（２）を、取出し可能に内蔵したことを特徴とする殺菌・消臭効果を備えたマスクケース。
【請求項２】
前記袋体（２）が、一面を合成樹脂製シート面（21）で、他面を不織布面（22）で形成された請求項１記載の殺菌・消臭効果を備えたマスクケース。
【請求項３】
前記合成樹脂製シート面（21）の表面に両面粘着テープ（４）を貼着し、前記袋体（２）をマスク収納部（11）に着脱可能に設けた請求項２記載の殺菌・消臭効果を備えたマスクケース。
【請求項４】
前記マスクケース本体（１）のマスク収納部（11）内部に、前記袋体（２）を収納するポケット部（５）が設けられた請求項１記載の殺菌・消臭効果を備えたマスクケース。
【考案の詳細な説明】
【技術分野】
【０００１】
本考案は、二酸化塩素ガスの簡易発生の仕組みを備えた分封パックが内蔵された殺菌・消臭効果を備えたマスクケースに関する。
【背景技術】
【０００２】
従来、粉塵，花粉，煙草の煙，インフルエンザウイルス等の各種異物の吸引を防止するために、或いは他人に病原菌を感染させないために、不織布などからなるマスクを日常的に使用する人が増加している。特に、昨今に於いては、新型コロナ感染の拡大と重症化の傾向が強まり、その予防対策として、手洗いとマスク着用の重要性と有効性が広く認識され、マスクは常に清潔なものの着用が求められている。また着用していても食事の時や重要な面談の時には、一時的に外すことになり、外したマスクはちり紙やハンカチで包み、それをスーツなどのポケットに入れたり、或いはそのままバッグや机に入れたりして対応している場合が多かった。このため、食事の時や重要な面談の時に一時的に外したマスクを衛生的に且つ、簡単に使用できるマスクケースが用いられている。このマスクケースは多種類のものが市販されている。
【０００３】
また、前記マスクケースに於いて殺菌効果を有するものとして、実用新案登録第３１５８３１７号や実用新案登録第３１５５６６９号などが提案されている。実用新案登録第３１５８３１７号の構造は、抗菌性の樹脂製シートを中央部で折り曲げて重ね合わせ、この折り曲げ部に隣接する少なくとも一方の辺を溶着して、マスク収納部を形成し、溶着されていない辺をマスクの出入口としたマスクケースである。また抗菌剤として、有機系抗菌剤、無機系抗菌剤を使用する。特に無機系抗菌剤としてゼオライト・銀系抗菌剤や人工ゼオライト・銀系抗菌剤などの記載がある。
一方、実用新案登録第３１５５６６９号の構造は、抗ウイルス加工、抗菌加工または花粉付着防止加工のうち、少なくとも1種類以上加工した生地を、表生地または／および内側の生地に使用した携帯用マスク収納ケースである。
【先行技術文献】
【特許文献】
【０００４】
【特許文献１】実用新案登録第３１５８３１７号公報
【特許文献２】実用新案登録第３１５５６６９号公報
【考案の概要】
【考案が解決しようとする課題】
【０００５】
しかしながら、実用新案登録第３１５８３１７号と実用新案登録第３１５５６６９号は、抗菌性の樹脂製シートや繊維生地に薬剤を塗布したり浸透させたりし、その表面に接触した病原菌を一定期間、不活化或いは消滅させることができるが、他に付着した病原菌や収納部の空間部に浮遊する病原菌等に対しては有効性を発揮できないものであった。更に、これらは長期間に渡って殺菌効果を持続させることはできなかった。
【０００６】
本考案はマスク収納部全体（空間部）の病原菌や腐敗菌等を長期間に渡って不活化或いは消滅させることが可能となる殺菌・消臭効果を備えたマスクケースを提供することを目的とする。
【課題を解決するための手段】
【０００７】
本考案は上記現状に鑑みて成されたものであり、つまり、マスク収納部を少なくとも有したマスクケース本体に、顆粒状二酸化塩素製剤が封入された袋体を、取出し可能に内蔵する構造とする。また前記袋体が、一面を合成樹脂製シート面で、他面を不織布面で形成されると良い。更に前記合成樹脂製シート面の表面に両面粘着テープを貼着して、袋体をマスク収納部に着脱可能に設けるのが好ましく、又、マスクケース本体の内部に、袋体が収納できるポケット部を設けると良い。
【考案の効果】
【０００８】
請求項１のようにマスク収納部（11）を少なくとも有したマスクケース本体（１）に、顆粒状二酸化塩素製剤（３）が封入された袋体（２）を、取出し可能に内蔵することにより、マスクケース本体（１）に収納されたマスクが、長期間に渡って病原菌や腐敗菌等を不活化或いは消滅させて保護することが可能となる。
【０００９】
請求項２のように袋体（２）が、一面を合成樹脂製シート面（21）で、他面を不織布面（22）で形成されることにより、マスク収納部（11）全体に二酸化塩素ガスが発生されるため、マスクがそのガスの雰囲気に包まれ、略完全に病原菌や腐敗菌等から守ることが可能となる。
【００１０】
請求項３に示すように合成樹脂製シート面（21）の表面に両面粘着テープ（４）を貼着し、袋体（２）をマスク収納部（11）に着脱可能に設けることにより、二酸化塩素ガスの発生が常時所定場所から安定して生じるものとなる。更に、顆粒状二酸化塩素製剤（３）が封入された袋体（２）を所定期間、例えば、１００日間隔で新たなものと交換すれば、長期間に渡って常時殺菌・消臭効果が安定して維持できる。
【００１１】
請求項４に示すようにマスク収納部（11）の内部に、袋体（２）を収納するポケット部（５）が設けられることにより、顆粒状二酸化塩素製剤（３）が封入された袋体（２）の交換がより簡単に行えるものとなると共に長期間に渡って常時殺菌・消臭効果が安定して維持可能となる。
【図面の簡単な説明】
【００１２】
【図１】本考案の実施形態のバッグ型を示す説明図である。
【図２】本実施形態のクリアホルダー型を示す説明図である。
【図３】本実施形態の袋体の取付け方法を示す説明図である。
【図４】本実施形態の顆粒状二酸化塩素製剤が封入された袋体（分封パック）の使用状態を示す説明図である。
【考案を実施するための形態】
【００１３】
本考案の実施形態を図面に基づいて説明する。（１）はマスク収納部（11）を少なくとも有したマスクケース本体であり、該マスクケース本体（１）としては、市販されているもの、例えば、バッグ型，袋体型，クリアホルダー型，クリアファイル型，開口可能な合成樹脂製の薄いボックス型，袱紗型，ポーチ型，財布型などを用いる。
【００１４】
（２）はマスクケース本体（１）に、後述する顆粒状二酸化塩素製剤（３）を封入する袋体であり、該袋体（２）は一面が合成樹脂製シート面（21）に、他面が不織布面（22）に形成されている。尚、袋体（２）は一般に、顆粒状二酸化塩素製剤（３）を所定量、例えば、約３グラムを、図４に示すように複数個封入されており、ミシン目に沿って切離したものを用いる。
【００１５】
（３）は少量の二酸化塩素ガスを長期間安定的に継続放出する特性を有した顆粒状二酸化塩素製剤であり、該顆粒状二酸化塩素製剤（３）としては、例えば、アムテック株式会社製のＡＭＴＥＣ  Ｐ−３０４Ｄを用いる。この主成分は天然ゼオライトが９２重量％以上、亜塩素酸ナトリウムが５重量％以下であり、且つ、ガス放出持続性が開封後2カ月以上のものである。尚、顆粒状二酸化塩素製剤（３）を袋体（２）に約３グラム封入し、マスクケース本体（１）に内蔵して置くと、二酸化塩素ガスが約１００日間放出することが、本考案者によって確認されている。又、二酸化塩素は、次亜塩素酸やアルコールなどと比較して、極低密度、例えば、０．０３ｐｐｍ以下であっても、殺菌・消臭効果に大きな効果があり、カビ，ウイルス，芽胞菌にも効果がある。
【００１６】
（４）はマスク収納部（11）の内壁に、袋体（２）の合成樹脂製シート面（21）の表面に貼着して着脱可能に設けるための両面粘着テープである。（５）はマスクケース本体（１）の内側に設けたポケット部であり、該ポケット部（５）には袋体（２）を収納する。
【００１７】
先ず始めに、本考案の使用方法について説明する。先ず始めにマスクケース本体（１）と、顆粒状二酸化塩素製剤（３）を封入した袋体（２）１個と、両面粘着テープ（４）とを用意し、該両面粘着テープ（４）を袋体（２）の合成樹脂製シート面（21）の表面に貼着する。そして、マスク収納部（11）の内壁に袋体（２）を両面粘着テープ（４）で取付けておけば、準備は完了する。尚、マスクケース本体（１）の内側にポケット部（５）が設けられたものを用いる場合は、顆粒状二酸化塩素製剤（３）を封入した袋体（２）をポケット部（５）に入れて収納する。この時、不織布面（22）がマスク収納部（11）の内側に来るようにして入れる。又、前記袋体（２）としては、図４に示すように複数個配置して密封されたものを用意し、使用時に開封してミシン目に沿って切離して使用すると良い。この時、残りの袋体（２）は密封した状態で保管しておく。
尚、前記両面粘着テープ（４）やポケット部（５）を設けずに、袋体（２）をマスク収納部（11）に入れて使用して良い。
その後、マスクをマスクケース本体（１）に収納して持ち運べば良い。
【００１８】
次に本考案の作用について説明する。マスクがマスクケース本体（１）に収納されると、袋体（２）から二酸化塩素ガスが発生し、発生した二酸化塩素ガスは、不織布面（22）からマスク収納部（11）の内部に放出される。この時、マスク収納部（11）に接触しているマスク部分が二酸化塩素ガスによって殺菌されると共に、接触していない部分も、マスク収納部（11）の内部（空間）に二酸化塩素ガスが溜まっているので、従来には出来なかったマスク全体の殺菌が行われるのである。
【００１９】
前記袋体（２）を交換する場合に、両面粘着テープ（４）を使用した時は、袋体（２）を取出し、新たな袋体（２）の合成樹脂製シート面（21）の表面に両面粘着テープ（４）を貼着し、上記同様にして設ける。一方、ポケット部（５）が設けられたマスクケース本体（１）を用いる時は、袋体（２）をポケット部（５）から取出し、新たな袋体（２）をポケット部（５）に入れて交換すれば良い。尚、袋体（２）を交換する場合は、図４に示すように複数個配置したものを、ミシン目に沿って交換する際に切離して使用する。
このように袋体（２）の交換は極めて簡単である。
【符号の説明】
【００２０】
１  マスクケース本体
11  マスク収納部
２  袋体
21  合成樹脂製シート面
22  不織布面
３  顆粒状二酸化塩素製剤
４  両面粘着テープ
５  ポケット部
【図１】
0003229922.tif 000003
【図２】
0003229922.tif 000004
【図３】
0003229922.tif 000005
【図４】
0003229922.tif 000006